(57)【要約】襞部の一方向に向かって収縮素材（８）が固定されるとともに、処理を施すことにより前記方向の斜めの方向に向かって収縮可能な、少なくとも１つの襞部（６）を備えていることを特徴とする、少なくとも１つの、パーマネント加工を施した折り目が形成された布地。
2005522595.tif 000002
【特許請求の範囲】
【請求項１】
襞部の一方向に向かって収縮素材（８）が固定されるとともに、処理を施すことにより前記方向の斜めの方向に向かって収縮可能な、少なくとも１つの襞部（６）を備えていることを特徴とする、少なくとも１つの、パーマネント加工を施した折り目が形成された布地。
【請求項２】
布地は、織布であることを特徴とする請求項１に記載の布地。
【請求項３】
収縮素材（８）は、縦糸方向に、襞部（６）に配置されることを特徴とする請求項２に記載の布地。
【請求項４】
布地は、編布であることを特徴とする請求項１に記載の布地。
【請求項５】
収縮素材（８）は、ジグザグ型に、襞部（６）に配置される少なくとも１本の収縮糸からなることを特徴とする前記いずれかの請求項に記載の布地。
【請求項６】
収縮糸（８）は布地に織り込まれていることを特徴とする請求項２および５に記載の布地。
【請求項７】
収縮糸（８）は、ジグザグ縦糸留めの技術により織り込まれていることを特徴とする請求項２および５に記載の布地。
【請求項８】
少なくとも１本の折り目糸（７）が襞部（６）に固定されていることを特徴とする前記いずれかの請求項に記載の布地。
【請求項９】
前記襞部（６）には、縦糸方向に、1本または数本の折り目糸（７）が留め込まれていて、収縮糸（８）は、少なくとも１本の折り目糸（７）の上にジグザグ型に配置されていることを特徴とする請求項３、５又は８に記載の布地。
【請求項１０】
請求項１乃至請求項１０のいずれかの記載に基づいて、布地（３）に少なくとも１つの、パーマネント加工を施した折り目（２）を配置する方法。
【請求項１１】
全ての襞部（６）に収縮素材（８）を備えた布地（３）を形成すること、言い換えれば、斜め方向に折り目をつける処理により収縮可能に形成した折り目を備えることを特徴とし、前記布地（３）には、上述した処理を施すことを特徴とする、布地（３）に少なくとも１つの、パーマネント加工を施した折り目（２）を配置する方法。
【請求項１２】
布地（３）は織布であることを特徴とする請求項１１に記載の方法。
【請求項１３】
縦糸（５）方向に収縮糸（８）が配置されていることを特徴とする布地（３）を形成する請求項１２に記載の方法。
【請求項１４】
全ての襞部（６）の収縮素材は、ジグザグ型に固定された少なくとも1本の収縮糸（８）により構成することを特徴とする請求項１０乃至請求項１３のいずれかに記載の方法。
【請求項１５】
全ての襞部（６）に少なくとも1本の折り目糸（７）を有し、この折り目糸（７）の上に収縮糸（８）が配置されることを特徴とする布地（３）を形成する請求項１０乃至請求項１４のいずれかに記載の方法。
【請求項１６】
布地（３）は、ガーゼにより形成することを特徴とする請求項１０乃至請求項１５のいずれかに記載の方法。
【請求項１７】
襞部（６）がそれぞれの他の折り目から等距離に位置し、そして、収縮素材（８）が収縮することにより襞部（６）を収縮させる処理の結果、布地にジグザグの折り目が形成される布地（３）を形成することを特徴とする請求項１０乃至請求項１６のいずれかに記載の方法。
【請求項１８】
防虫網用のガーゼを成形することを特徴とする請求項１６乃至請求項１７いずれかに記載の方法。
【請求項１９】
布地（３）には、収縮素材（８）を収縮させる加熱、機械加熱、超音波または高周波処理を施すことを特徴とする請求項１０乃至請求項１８のいずれかに記載の方法。
【発明の詳細な説明】
【技術分野】
【０００１】
この発明は布地に関する。特に、少なくとも一つの、パーマネント加工を施した折り目を備えている布地に関する。
【発明の開示】
【０００２】
一つ、または、いくつかの折り目を有する布地が、望まれ、または、必要とされることがある。場合によっては、ジグザグの折り目が形成された布が必要とされることもある。
【０００３】
布地は、通常、平織りになっていて、折り目は、布地を織った後に形成される。布地を熱可塑性合成繊維で織る場合には、例えば、パーマネント加工を施した折り目を、熱処理によって形成することが可能である。
【０００４】
しかしながら、これらの方法によれば時間がかかり、そして、常に、よい折り目を形成することが必ずしも可能ではない。さらに、頻繁に折り目を開いたり閉じたりすると、折り目がすぐに裂けてしまう。
【０００５】
本発明は、単純、且つ、迅速な方法により、布地に少なくとも一つの、パーマネント加工を施した折り目を形成することを目的とする。
【０００６】
この目的は、襞部の一方向に向かって収縮素材が固定されるとともに、処理を施すことにより、前記方向の斜めの方向に向かって収縮可能な、少なくとも一つの襞部を備えている布地により達成される。
【０００７】
ユニチカ社の、−日本特許番号09-023967号、1997年1月28日登録−  によれば、沸騰水に入れて茹でることにより収縮可能な糸が織り込まれたリボンが公知になっている。この収縮可能な糸は、リボンの長さ方向に伸びていて、局所的にリボンに留め込まれている。リボンはカーテンに縫い付けられていて、カーテンを沸騰水に入れて茹でると、収縮糸が収縮することにより、リボンがカーテンフック用のループを形成する。
【０００８】
布地は、例えば、ガーゼのような織布であることが好ましい。
【０００９】
さらには、収縮素材は、布の縦糸方向に配置されることが好ましい。
【００１０】
よって当然、襞部も布地の縦糸方向に形成される。
【００１１】
収縮素材は、例えば、織布の襞部にジグザグに留め込まれる一本の収縮糸であることが好ましい。
【００１２】
布地の前記襞部には、一本または数本の折り目糸を固定してもよい。
【００１３】
本発明も、少なくとも１つの、パーマネント加工を施した折り目を有する布地、および、その製造方法に関するものである。
【００１４】
この方法は、前述のいずれかの実施の形態により形成される布地を特徴とするものである。
【００１５】
すなわち、布地は、全ての襞部に収縮素材を備え、言い換えれば、斜め方向に折り目をつける処理により、収縮可能に形成した折り目を備えることを特徴とし、そして、前記布地には、上述した処理を施すことを特徴とする。
【００１６】
布地は、縦糸方向に伸縮素材が配置された織布、または、編布であることが好ましい。
【００１７】
布地の、全ての襞部に配置される収縮素材は、ジグザグ型に配置された少なくとも1本の収縮糸により構成されていて、縦糸方向に織り込まれていることが好ましい。
【００１８】
布地は、少なくとも１本の折り目糸を全ての折り目に備えていて、この折り目糸の上に収縮素材が配置され、例えば、収縮糸が、折り目糸に対してジグザグに留め込まれている。
【００１９】
当該発明の特徴をよりよく説明するため、以下に、少なくとも１つの、パーマネント加工を施した折り目を有する布地、および、その製造方法の実施の形態を、添付の参考図面に示された実施の形態に従って示す。尚、本発明はこの実施の形態に限定されるものではない。
【００２０】
図１および図２は、以下に示す方法により、全ての折り目２がそれぞれの他の折り目から等距離に位置するようにジグザグに襞付けがされた、防虫網用のガーゼ１を示す。
【００２１】
布地３は、本実施の形態において、縦糸５に対して緯糸４を織り込んでいく従来の方法によって、織目が正確に織られたガーゼにより形成されている。しかし、図４に示すように、襞部６には、縦糸として織り込まれる折り目糸７に縦糸ジグザグ技術によって留め込まれる収縮糸８によって、折り目２が形成されている。
【００２２】
「糸」の語は、ここでは、以下の通り、広義に解釈されるものであって、編物用糸のような単繊維、または、単繊維を混紡した繊維も含むものと理解される。編物用糸は、紡績糸または、繊維糸でもよく、表面にきめのあるもの、伸縮するものであってもよい。糸は、合成繊維のような天然素材または、これらの混紡からなるものであってもよく、これらの糸にコーティング加工を施したものであってもよい。縦糸と緯糸は違う素材で構成したものであってもよい。
【００２３】
収縮糸８は、機械加熱、超音波加熱、高周波加熱、他の適切な処理による熱の影響を受けて、長さ方向に収縮するものである。好ましくは、最低限５％収縮するものである。
【００２４】
この収縮糸は、その一部または全部が、一本または数本の紡績糸、連続的な繊維糸、一本または数本の合成繊維、単繊維、一またはいくつかの合成布、または、伸縮性のある糸または繊維で構成されていることが好ましい。
【００２５】
織り込まれる前記収縮糸８は、ジグザグ形状両端の中央部が襞部に固定されている。すなわち、この部分が折り目が形成される部位となる。そして、収縮糸８は、折り目糸７の片面を被包して、縦糸方向に折り目糸７の上をジグザグに伸びている。本実施の形態の収縮において、収縮糸８は、大抵の場合襞部６の斜め方向に収縮し、折り目２が形成される。
【００２６】
前記した「糸」素材により形成される前記折り目糸７は、折り目形状を補強し、保持する。そして、折り目糸７は、縦糸５より太い直径の糸であることが好ましい。
【００２７】
この折り目糸７を、通常の縦糸５の表面に配置してもよいし、また、この折り目糸７が配置された部分の縦糸５を省略してもよい。
【００２８】
前記布地３には、収縮糸８の収縮による所定の処理が施されている。収縮糸が収縮する結果として、緯糸４の一部が、前記折り目糸７の両側に向かって緊張せられ、その結果、緯糸４は、図３に示すように、折り曲げられることが明らかである。この収縮は元に戻らないので、形成された折り目２の形状は、永続的に維持される。
【００２９】
布地３の表面または裏面に向かって折れ曲がる緯糸４の折り目は、収縮糸８がどのように織り込まれるかによって決まることは明らかである。上述の実施の形態においては、折り目糸７の上に配置される収縮糸８によって形成される折り目２の方向は、前記折り目糸７が、緯糸４と収縮糸８に対して表裏どちらの面に位置するかにより決まる。
【００３０】
これは、防虫網用のガーゼ１に連続する折り目２を形成する場合、連続する折り目２を形成する収縮糸８が、折り目糸７の上に布地３の両面に渡って交互に織り込まれることにより、ジグザグ襞が形成されることを意味する。
【００３１】
収縮糸８の収縮の割合と、ジグザグ留めの幅の大きさにより、折り目２の開き、言い換えれば、どの程度の強さで、緯糸４の一部が隣接する折り目糸７を引っ張って緊張状態にするかということが決まり、従って、隣接する襞部との分岐角度Ａの大きさが定まる。
【００３２】
当然、折り目２は折りたたみ可能になっているので、防虫網用のガーゼ１の、連続する折り目糸７の間の部分を一纏めに折りたたむことで、上述した角度Ａは事実上0°になる。
【００３３】
また、収縮糸８を織り込む替わりに、織った後に収縮糸８を縫い付けてもよく、または、他の固定技術により収縮糸８を固定してもよい。同様な方法は、折り目糸７においても適用できる。
【００３４】
他の実施の形態においては、収縮糸８を、上述の処理を施すと収縮し、且つ、好ましくは、紡織後に、縫い付け、接着などの方法により布地３に固定される収縮布片に置換している。
【００３５】
他の実施の形態において、布地３は、全ての襞部６に複数の折り目糸７を有している。図５によれば、この布地３には、互いに隣接するように３本の折り目糸７が織り込まれている。収縮糸８は、３本の糸のうち中央に位置する１本の糸の上を通るように織り込まれている。しかし、当然、他の実施の形態による場合には、前記収縮糸８は、３本の糸の上を通るように織り込んでもよい。
【００３６】
また、襞部６に複数の折り目糸７を配置するばかりでなく、折り目用の糸７を一切配置しないでもよい。この場合、折り目糸７に替えて、例えば、通常の縦糸５を用いてもよい。
【００３７】
他の実施の形態において、布地３は、図６に示すように構成されている、この布地３は、図４に示す布地３とは異なり、2本の収縮糸８が対象的なジグザグ型に、折り目糸７の上を通るように織り込まれることで、全ての襞部６に折り目が形成される。
【００３８】
さらなる実施の形態において、布地３は、図７に示すように構成されている。この布地３は、図６に示す布地３とは異なり、２本の収縮糸８が、異なる織り方により織り込まれている。すなわち、収縮糸８は、折り目糸７に隣接する縦糸５と交差する緯糸４に留め込まれている。
【００３９】
パーマネント加工を施した折り目２のある布地３は、収縮糸８の収縮による処理を適用する上記方法によって布地を形成することにより得ることができる。
【００４０】
上述した全ての実施の形態の縦糸方向に折り目２が形成されている防虫網用のガーゼ１は、開示された多様な方法により得ることができる。
【００４１】
布地３は必ずしもガーゼでなくてもよい。布地３は、緯糸４と縦糸５を織った、他のいかなる織布であってもよい。布地３は、必ずしも織布でなくてもよく、編んだものであってもよいし、不織布であってもよい。後者の場合には、不織布を製造した後に、収縮糸８および折り目糸７を配置しなければならない。
【００４２】
さらに、折り目２を備えている布地３は、必ずしも、防虫網用のガーゼ１でなくてもよい。布地３は、サンスクリーン、カーテン、パッケージ材、買い物袋、アタッシュケース、またはこれらの一部、スーツケースの内張り、濾過用布、または、織布により形成されるいかなるものであってもよい。
【００４３】
本発明は、添付図面に代表される上記実施の形態に示されたものに限られるものではない。このような少なくとも１つの、パーマネント加工を施した折り目を有する布地、および、その製造方法は、本発明の範囲に属する種種の実施の形態によって提供されるものである。
【図面の簡単な説明】
【００４４】
【図１】図１は、本発明の方法により襞付けがされた布地を遠近法により示した代表図である。
【図２】図２は、図１におけるＢ−Ｂ線における断面図である。
【図３】図３は、図２のＦ３で示される部分の一部拡大図である。
【図４】図４は、前図の布地を製造するために使用する織布の一部を示す。
【図５】図５乃至図７は、本発明の他の実施例であって、図３に類似する織布の一部を示す。
【図６】本発明の他の実施例であって、図３に類似する織布の一部を示す。
【図７】本発明の他の実施例であって、図３に類似する織布の一部を示す。
【符号の説明】
【００４５】
１  防虫網用のガーゼ
２  折り目
３  布地
４  緯糸
５  縦糸
６  襞部
７  折り目糸
８  収縮糸
【図１】
2005522595.tif 000003
【図２】
2005522595.tif 000004
【図３】
2005522595.tif 000005
【図４】
2005522595.tif 000006
【図５】
2005522595.tif 000007
【図６】
2005522595.tif 000008
【図７】
2005522595.tif 000009
【国際調査報告】
2005522595.tif 000010
2005522595.tif 000011
2005522595.tif 000012